(57)【要約】【課題】密閉状態のカートリッジを設置する際に密閉状態が解除される密閉カートリッジを実現することを可能にする。【解決手段】密閉カートリッジ１０は、その内部の外気に対する密閉及び開放が自在となっており、筒状の外筒としての外側ケース１１と、外側ケース１１に嵌合され、一端の開口から内部に物としてのシリカゲル３０を収容及び取出し可能な筒状を成し、開口が突起部１４ａを有する蓋部材としての押出用治具１４で密閉される内側ケース１３とを備えている。そして、押出用治具１４で密閉された内側ケース１３を、突起部１４ａが外部へ突出する状態で外側ケース１１に挿入した密閉状態の密閉カートリッジ１０を、被装着手段としての通信基地局筐体２０の装着部２１に装着し、突起部１４ａを押すと密閉状態が開放状態となるように構成した。【選択図】図５
2013056287.tif 000002
【特許請求の範囲】
【請求項１】
収納物を収容する内筒と、
前記内筒を収容する外筒と、を備え、
前記外筒及び前記内筒は、前記収納物を密閉する構造、および、前記収納物の密閉を開放する構造を有し、
前記外筒及び前記内筒が前記収納物を密閉している状態から、前記外筒及び前記内筒の何れかを移動させると、前記収納物の密閉が開放されることを特徴とする密閉カートリッジ。
【請求項２】
前記内筒及び前記外筒は、それぞれ貫通口を有し、
前記内筒の外面と前記外筒の内面が接し、
前記収納物を密閉する構造の際は、それぞれの貫通口が重なり合わず、記収納物の密閉を開放する構造の際は、それぞれの貫通口が重なる構造を有する請求項１の密閉カートリッジ。
【請求項３】
前記内筒及び前記外筒の何れかには、所定の方向に移動させるためのガイド溝を有し、
固定されたピンが前記ガイド溝を支持する場合に、前記ガイド溝のある筒を移動させると、所定の方向に移動して、前記収納物を密閉している状態から、前記収納物の密閉が開放される請求項１または２の密閉カートリッジ。
【請求項４】
前記密閉カートリッジが装着される蓋付き被装着手段に前記ピンを有し、被装着手段に前記密閉カートリッジを装着して前記蓋をした場合、前記蓋が筒を移動させて前記収納物を密閉している状態から、前記収納物の密閉が開放される請求項３の密閉カートリッジ。
【発明の詳細な説明】
【技術分野】
【０００１】
本発明は、シリカゲル等を密閉状態に収容する密閉カートリッジに関する。
【背景技術】
【０００２】
通信基地局等の電子機器の筺体においては、その内部に湿気が篭ると電子部品が正常に作動しなくなる等の不具合が生じる。このため、密閉容器に収容されたシリカゲルの密閉容器を開封した後、筺体内に配備することで湿気を吸収している。この種の除湿を行う装置として特許文献１に記載の除湿装置が有る。この除湿装置は、着脱可能な吸着デバイスを装着した除湿装置であって、吸着デバイスを密閉空間内に設置することで密閉空間内を除湿し、吸着飽和した吸着デバイスを除湿装置に戻して再生することにより、再生した吸着デバイスを繰り返し使用し、狭い密閉空間の除湿を可能にしている。
【先行技術文献】
【特許文献】
【０００３】
【特許文献１】特開２００８−８６９４３号公報
【発明の概要】
【発明が解決しようとする課題】
【０００４】
しかしながら、特許文献１に開示された除湿装置は、シリカゲルに比べ装置構成が複雑でありサイズが大きいため、電子機器としての例えば通信基地局の筺体内に配備した場合、スペースを占有してしまい、筺体内の設置スペースが狭い場合、除湿装置を配備することができず、またシリカゲルに比べコスト高となる問題があった。
【０００５】
また、シリカゲルの場合は、このシリカゲルを収容する密閉容器を開封してから通信基地局の筺体内に配備し、この後、通信基地局を電柱等の所定位置に設置するが、この設置完了までに時間が掛かってしまうと、開封後にシリカゲルは吸湿を始めているため、シリカゲルの吸湿性能が劣化してしまうという問題がある。
【０００６】
更に、筐体内にシリカゲルを配備する際に、シリカゲルを固定する板金等を着脱する必要があるので作業が面倒で工数が掛かるという問題がある。
【０００７】
本発明は上記した課題を解決するためになされたものであり、密閉状態のカートリッジを設置する際に密閉状態が解除される密閉カートリッジを提供することを目的とする。
【課題を解決するための手段】
【０００８】
上記した課題を解決するために本発明は、内部の外気に対する密閉及び開放が自在な密閉カートリッジにおいて、筒状の外筒と、前記外筒に嵌合され、一端の開口から内部に物を収容及び取出し可能な筒状を成し、当該開口が突起部を有する蓋部材で密閉される内筒と、を備え、前記蓋部材で密閉された前記内筒を、前記突起部が外部へ突出する状態で前記外筒に挿入した密閉状態の密閉カートリッジを被装着手段に装着し、当該突起部を押すと当該密閉状態が開放状態となることを特徴とする。
【０００９】
また、本発明において、前記内筒及び前記外筒はそれぞれ外周面に貫通口を有し、前記内筒は前記一端の開口と対向する他端面に凹部を有し、この凹部の内周面に当該内周に沿って湾曲するガイド溝を有し、前記被装着手段は周回面にピンが突き出た凸部を有し、前記被装着手段に前記密閉状態の密閉カートリッジを装着した際に、前記ガイド溝に前記ピンが挿入される状態で当該被装着手段の凸部に前記内筒の凹部が挿入され、前記突起部が押されると、前記ピンで前記ガイド溝が支持されながら前記内筒が回転移動して当該内筒と前記外筒の双方の貫通口が重なり前記開放状態となることを特徴とする。
【００１０】
また、本発明において、前記外筒に挿入された前記内筒と、当該外筒との対向端面に弾性部材を介在し、前記突起部の押圧が解除されると、前記弾性部材の反発力で前記内筒が前記押圧時の回転方向と逆回転して当該内筒と当該外筒の双方の貫通口が重ならない前記密閉状態となることを特徴とする。
【発明の効果】
【００１１】
本発明によれば、密閉状態のカートリッジを設置する際に密閉状態が解除される密閉カートリッジを提供することができる。
【図面の簡単な説明】
【００１２】
【図１】本実施形態に係る密閉カートリッジを通信基地局の筐体内に配備した様態を示す斜視図である。
【図２】本発明の実施の形態に係る密閉カートリッジの分解図である。
【図３】本発明の実施の形態に係る密閉カートリッジの組み立て図である。
【図４】通信基地局筐体の密閉カートリッジ配備用の凸部を示す図である。
【図５】（ａ）本発明の実施の形態に係る密閉カートリッジを通信基地局筐体に装着した状態を示す断面図、（ｂ）（ａ）に示すＡ１−Ａ１断面図である。
【図６】（ａ）本発明の実施の形態に係る密閉カートリッジが装着された通信基地局筐体の蓋を閉じた状態を示す断面図、（ｂ）（ａ）に示すＡ２−Ａ２断面図である。
【図７】本発明の実施の形態に係る密閉カートリッジの内側ケースが奥側方向に押された際にガイド溝とガイドピンとの相対移動関係を示す図である。
【図８】本発明の実施の形態に係る密閉カートリッジの内側ケースが奥側方向に押された際の内側ケースの回転動作並びにガイド溝とガイドピンとの相対移動関係を示す図である。
【発明を実施するための形態】
【００１３】
以下、添付図面を参照して本発明を実施するための実施の形態（以下、単に本実施形態という）について詳細に説明する。
（実施形態の構成）
図１は、本実施形態に係る密閉カートリッジ１０を通信基地局の筐体２０内に配備した様態を示す斜視図である。筐体２０は直方体形状を成し、その内部の片隅に密閉カートリッジ１０を装着するための空間を有する装着部２１を備え、この装着部２１の開口側の筐体面に、密閉カートリッジ１０を着脱するための蓋２２を備える。
【００１４】
密閉カートリッジ１０は、図２に示すように、外側ケース１１と、バネ１２と、内側ケース１３と、押出用治具１４と、カートリッジ蓋１５とを備え、これらを図３のように組み合わせて構成される。
【００１５】
外側ケース１１は、一端が開口する細長い筒状を成し、他端面の中央部に図３に示す貫通口１１ａを有し、周回面にケース長手方向に伸びる細長いスリット（以降、外スリットとも称す）１１ｂが周方向に一定間隔で形成されている。
【００１６】
内側ケース１３は、シリカゲル３０｛図５（ｂ）参照｝を収容するものであり、一端が開口し、外側ケース１１内に着脱自在に嵌合する外径サイズの細長い筒状を成し、他端面の中央部に円柱状にへこむ凹部１３ａを備える。凹部１３ａの内周面には外側ケース長手方向に湾曲状（三日月状）に伸びるガイド溝１３ｂが形成されている。また、内側ケース１３の周回面にはケース長手方向に伸びる細長いスリット（以降、内スリットとも称す）１３ｃが周方向に一定間隔で形成されている。
【００１７】
押出用治具１４は、内側ケース１３の開口を密閉する円盤形状を成し、その中央部に細長い円柱状の突起部１４ａを備える。この押出用治具１４は、図３に示すように、内側ケース１３に、その開口を密閉して着脱自在に装着されるようになっている。
【００１８】
カートリッジ蓋１５は、外側ケース１１の開口を密閉する円盤形状を成し、その中央部に押出用治具１４の突起部１４ａが挿通されて突き出る貫通口１５ａが形成されている。このカートリッジ蓋１５は、図３に示すように、外側ケース１１に内側ケース１３を収容し、この内側ケース１３の開口に押出用治具１４を装着した状態で、外側ケース１１の開口を密閉状態に蓋をして外側ケース１１に固定可能となっている。
【００１９】
なお、図３においては、内側ケース１３と外側ケース１１との間、押出用治具１４とカートリッジ蓋１５との間、突起部１４ａと貫通口１５ａとの間に、それぞれ隙間がある状態で表現されているが、これは各々の部品を分かり易くするためであり、実際には隙間が無く各部品が当接状態となって、内側ケース１３の内部が密閉状態に保持できるようになっている。この図３の表現は後述の図５及び図６においても同様である。
【００２０】
密閉カートリッジ１０の各部品を組み合わせる場合、図３に示すように、外側ケース１１内にバネ１２を介して内側ケース１３を挿通して嵌合し、この際、外スリット１１ｂと内スリット１３ｃとが重ならないようにする。この後、内側ケース１３の開口側に押出用治具１４を装着し、更に、外側ケース１１の開口側にカートリッジ蓋１５を装着して固定する。この際、押出用治具１４の突起部１４ａがカートリッジ蓋１５の貫通口１５ａから外側に突き出る状態となる。
【００２１】
次に、図４に示すように、筐体２０の装着部２１内には、筐体２０内壁から蓋２２方向に突き出す円柱形状の凸部２０ａが設けられ、この凸部２０ａの周回面にはガイド溝１３ｂに挿入されるガイドピン２０ｂが周回面に対して垂直に突き出ている。その凸部２０ａに、図３に示すように組み立てられた密閉カートリッジ１０の貫通口１１ａを介して凹部１３ａを図５（ａ）に示すように挿入し、この際、ガイド溝１３ｂにガイドピン２０ｂを差し込んで、密閉カートリッジ１０を装着部２１内に装着できるようになっている。この装着状態では、密閉カートリッジ１０は、図５（ｂ）に示すように、外スリット１１ｂと内スリット１３ｃとが重ならず、内側ケース１３の内部に収容されたシリカゲル３０が外気に触れない密閉状態となっている。なお、図５（ｂ）は図５（ａ）に示すＡ１−Ａ１断面図である。
【００２２】
また、図５（ａ）に示すように筐体２０の蓋２２の内面には、装着部２１に装着された密閉カートリッジ１０の突起部１４ａと対向する位置に突起部２２ａが形成されている。
【００２３】
図６（ａ）に示すように、矢印Ｙ１で示す方向に蓋２２を閉めると、突起部２２ａの端面が突起部１４ａの端面に当接し、更に同方向に蓋２２をバネ１２の反発力に対向して閉じて行くと、突起部２２ａが突起部１４ａを押し込む動作を行い、この際、矢印Ｙ２に示す方向に内側ケース１３が回転し、蓋２２を完全に締め切った状態で図６（ｂ）に示すように内スリット１３ｃが外スリット１１ｂと重なり、シリカゲル３０が外気に触れる開放状態で内側ケース１３の回転が停止するようになっている。なお、図６（ｂ）は図６（ａ）に示すＡ２−Ａ２断面図である。
【００２４】
ここで、蓋２２を閉じる際に内側ケース１３が矢印Ｙ２で示す方向に回転する機構を説明する。図６（ａ）に示すように、蓋２２を閉じると蓋２２の突起部１４ａで内側ケース１３の突起部１４ａが押し込まれ、この押し込み動作に応じて図７に矢印Ｙ１で示す奥側方向に内側ケース１３が移動する。この移動に伴い内側ケース１３の湾曲状のガイド溝１３ｂが矢印Ｙ３で示すようにガイドピン２０ｂに支持されながら内側ケース１３の略外周方向に移動する。
【００２５】
この移動に応じて図８に矢印Ｙ２で示すように、内側ケース１３が回転動作し、ガイドピン２０ｂがガイド溝１３ｂの端に到達して奥側方向への移動が停止すると回転動作も停止するようになっている。この状態では、図６（ａ）に示すように、バネ１２が圧縮された状態となっている。この圧縮状態で蓋２２を開けると、バネ１２の反発力で内側ケース１３が矢印Ｙ１方向と逆方向に移動すると共に、矢印Ｙ２と逆方向に回転動作し、バネ１２の反発力が無くなった時点で停止する。この停止状態では、図５（ａ）及び（ｂ）に示した状態となる。
（実施形態の動作）
このような構成の密閉カートリッジ１０を通信基地局の筐体２０内に着脱する際の動作を説明する。
【００２６】
まず、内側ケース１３内にシリカゲル３０を収容した後、図３に示すように外側ケース１１内にバネ１２を介して内側ケース１３を挿通して嵌合する。この際、外スリット１１ｂと内スリット１３ｃとが重ならないようにする。この後、内側ケース１３の開口側に押出用治具１４を装着し、更に、押出用治具１４の突起部１４ａがカートリッジ蓋１５の貫通口１５ａから外側に突き出るように、外側ケース１１の開口側にカートリッジ蓋１５を装着して固定する。これによって密閉カートリッジ１０が組み立てられた状態となる。この装着では、密閉カートリッジ１０は、図５（ｂ）に示すように、外スリット１１ｂと内スリット１３ｃとが重ならず、内側ケース１３の内部に収容されたシリカゲル３０が外気に触れない密閉状態となっている。
【００２７】
次に、通信基地局筐体２０の蓋２２を開けて装着部２１内に密閉カートリッジ１０を収容し、筐体２０内壁の凸部２０ａに、密閉カートリッジ１０の貫通口１１ａを介して凹部１３ａを図５（ａ）に示すように挿入する。この際、ガイド溝１３ｂにガイドピン２０ｂが差し込まれる。
【００２８】
次に、図６（ａ）に示すように、矢印Ｙ１で示す方向に蓋２２を閉めると、蓋２２の突起部２２ａが内側ケース１３に取り付けられた押出用治具１４の突起部１４ａを押し込む動作を行う。この動作に伴って、内側ケース１３が矢印Ｙ１で示す奥側方向に移動し、湾曲状のガイド溝１３ｂがガイドピン２０ｂに支持されながら内側ケース１３の略外周方向に移動する。この周方向への移動に応じて内側ケース１３が回転動作する。その後、蓋２２を完全に締め切った状態で、ガイドピン２０ｂがガイド溝１３ｂの端に到達すると、内側ケース１３の奥側方向への移動が停止すると回転動作も停止する。この停止状態では、図６（ｂ）に示すように、内スリット１３ｃが外スリット１１ｂと重なり、シリカゲル３０が外気に触れる開放状態となる。従って、シリカゲル３０が吸湿可能な状態となるので、蓋２２が閉められて密閉された通信基地局筐体２０内の湿気を吸湿する。また、この状態では、図６（ａ）に示すように、バネ１２が圧縮された状態となる。
【００２９】
一方、密閉カートリッジ１０を取り外す場合、蓋２２を開けると、バネ１２の反発力で内側ケース１３が矢印Ｙ１方向と逆方向に移動すると共に、矢印Ｙ２と逆方向に回転動作し、バネ１２の反発力が無くなった時点で停止する。この停止状態では、密閉カートリッジ１０は図５（ａ）及び（ｂ）に示した密閉状態となる。
（実施形態の効果）
以上説明のように本実施形態に係る密閉カートリッジ１０は、その内部の外気に対する密閉及び開放が自在となっており、筒状の外筒としての外側ケース１１と、外側ケース１１に嵌合され、一端の開口から内部に物としてのシリカゲル３０を収容及び取出し可能な筒状を成し、開口が突起部１４ａを有する蓋部材としての押出用治具１４で密閉される内側ケース１３とを備えている。そして、押出用治具１４で密閉された内側ケース１３を、突起部１４ａが外部へ突出する状態で外側ケース１１に挿入した密閉状態の密閉カートリッジ１０を、被装着手段としての通信基地局筐体２０の装着部２１に装着し、突起部１４ａを押すと密閉状態が開放状態となるように構成されている。
【００３０】
この構成によれば、シリカゲル３０を収容して密閉状態とした密閉カートリッジ１０を筐体２０に装着し、密閉カートリッジ１０の突起部１４ａを押すだけで密閉状態が開放状態となる。この開放状態によってシリカゲル３０が外気に触れるので吸湿を行う状態となる。
【００３１】
本実施形態では、筐体２０に密閉カートリッジ１０を装着後、突起部１４ａを押すまではシリカゲル３０を密閉状態としておくことができるので、通信基地局を電柱等の所定位置に設置する際に時間が掛かっても、この間は、密閉カートリッジ１０を密閉状態としておき、設置後に突起部１４ａを押して開放状態とすればよい。これによって従来のように、時間経過によりシリカゲル３０の吸湿性能が劣化してしまうことを防止することができる。
【００３２】
また、密閉カートリッジ１０は小型で済むので、通信基地局の筐体２０の密閉カートリッジ１０の設置スペースが狭い場合でも対応可能となる。更に、基本的な構成部材として外側ケース１１と内側ケース１３との筒を用いる構成なので、低コストで作製することができる。
【００３３】
また、密閉カートリッジ１０は、内側ケース１３及び外側ケース１１はそれぞれ外周面に貫通口としての内スリット１３ｃ及び外スリット１１ｂを有し、内側ケース１３は一端の開口と対向する他端面に凹部１３ａを有し、この凹部１３ａの内周面に内周に沿って湾曲するガイド溝１３ｂを有し、筐体２０は周回面にピンとしてのガイドピン２０ｂが突き出た凸部２０ａを有する。そして、筐体２０に密閉状態の密閉カートリッジ１０を装着した際に、ガイド溝１３ｂにガイドピン２０ｂが挿入される状態で凸部２０ａに内側ケース１３の凹部１３ａが挿入され、突起部１４ａが押されると、ガイドピン２０ｂでガイド溝１３ｂが支持されながら内側ケース１３が回転移動して、内側ケース１３と外側ケース１１の双方のスリット１１ｂ，１３ｃが重なり開放状態となる。
【００３４】
従って、筐体２０内にシリカゲル３０を配備する際に、従来のようにシリカゲル３０を固定する板金等を着脱する必要がなく、筐体２０の凸部２０ａに密閉カートリッジ１０を着脱するだけなので作業が容易で工数を削減することができる。また、突起部１４ａを押せば、ガイドピン２０ｂとガイド溝１３ｂとの相対的な動作によって、容易にスリット１１ｂ，１３ｃを重ならせて開放状態とすることができる。なお、ガイド溝は内側ケース１３でなく、外側ケース１１に設けられていてもよい。
【００３５】
また、密閉カートリッジ１０は、外側ケース１１に挿入された内側ケース１３と、外側ケース１１との対向端面に弾性部材としてのバネ１２を介在しており、突起部１４ａの押圧が解除されると、バネ１２の反発力で内側ケース１３が押圧時の回転方向と逆回転して、内側ケース１３と外側ケース１１の双方のスリット１１ｂ，１３ｃが重ならない密閉状態となる。従って、密閉カートリッジ１０の開放状態を容易に密閉状態とすることができる。
【００３６】
なお、外側ケース１１と内側ケース１３には、スリット１１ｂ，１３ｃが形成されているとしたが貫通口であればその形状は何でも良い。弾性部材としてバネ１２を想定したが、ゴム等の弾性部材であればよい。
また、上述の構成は、電子機器筺体等の内部空間に工数を掛けずに容易に配備することができ、その配備スペースも狭小で済ませることが可能な小型サイズ且つ低コストで実現することができる。
【００３７】
以上、本発明の好ましい実施形態について詳述したが、本発明の技術的範囲予測は上記実施形態に記載の範囲予測には限定されないことは言うまでもない。上記実施形態に、多様な変更または改良を加えることが可能であることが当業者に明らかである。またその様な変更または改良を加えた形態も本発明の技術的範囲予測に含まれ得ることが、特許請求の範囲予測の記載から明らかである。
【符号の説明】
【００３８】
１０・・密閉カートリッジ、１１・・外側ケース、１１ａ，１５ａ・・貫通口、１１ｂ，１３ｃ・・スリット、１２・・バネ、１３・・内側ケース１３、１３ａ・・凹部、１３ｂ・・ガイド溝、１４・・押出用治具、１４ａ，２２ａ・・突起部、１５・・カートリッジ蓋、２０・・筐体、２０ａ・・凸部、２０ｂ・・ガイドピン、２１・・装着部、３０・・シリカゲル。
【図１】
2013056287.tif 000003
【図２】
2013056287.tif 000004
【図３】
2013056287.tif 000005
【図４】
2013056287.tif 000006
【図５】
2013056287.tif 000007
【図６】
2013056287.tif 000008
【図７】
2013056287.tif 000009
【図８】
2013056287.tif 000010